(57)【要約】      （修正有）【課題】ビデオカメラのディスク装置のピックアップのように、一定範囲で移動可能な部材を有する電子機器において、メンテナンス時などに用いるサービスコネクタをコストを上げず、アクセス性及び美観等を損なうことなしに配置する。【解決手段】ディスク駆動装置４０の光ピックアップユニット（ＯＰＵ）４６が外周端に位置するときに露出する位置に、サービスコネクタ６２を配置する。ＯＰＵ４６が初期位置である内周端に位置するときには、ＯＰＵ４６がサービスコネクタ６２を隠蔽する。サービスコネクタ６２は、主基板６０に直付けされている。【選択図】図１０
2008047261.tif 000002
【特許請求の範囲】
【請求項１】
初期位置を含む所定範囲を移動可能な可動部材と、
当該初期位置にある当該可動部材により隠蔽される位置に配置される外部接続手段
とを具備することを特徴とする電子機器。
【請求項２】
当該可動部材は、ディスク駆動装置のピックアップであることを特徴とする請求項１に記載の電子機器。
【請求項３】
当該外部接続手段が、電気接続手段であることを特徴とする請求項１又は２に記載の電子機器。
【請求項４】
更に、所定操作に応じて、当該可動部材を当該外部接続端子を露出させる位置に強制移動させる制御手段を具備することを特徴とする請求項１乃至３の何れか１項に記載の電子機器。
【発明の詳細な説明】
【技術分野】
【０００１】
本発明は、電子機器に関する。
【背景技術】
【０００２】
多くの電子機器には、機器の製造段階における調整や、後のメンテナンス時に用いるための電気的インターフェイスとしてのコネクタ（以下、サービスコネクタという）が、予め用意される。サービスコネクタは、電子機器のファームウェアの更新や、各種パラメータの設定、さらには不具合情報を取得して修理サービスに役立てるなどに活用されている。
【０００３】
サービスコネクタは、その性質上、機器を分解しなくても利用できるように、容易にアクセスできる位置に設置される。分解に要する時間を省き作業を素早く行うことができれば、修理サービスを短時間で終わられられるなど、メリットが大きい。但し、ユーザの誤用を防ぐ必要があるので、ある程度、隠蔽された箇所に配置される。
【０００４】
例えば、ビデオカメラでは、バッテリパック収納室内にサービスコネクタを配置する例が知られている。具体的には、バッテリパック収納室内のバッテリパックで隠れる面に開口を設け、その開口内にサービスコネクタを配置する。サービスコネクタを隠蔽するために、その開口には蓋を付ける。
【０００５】
また、バックアップ電池収納部などの近傍にメンテナンス接点を設ける構成も知られている（特許文献１参照）。
【特許文献１】特開２００３−２１９２４８号公報
【発明の開示】
【発明が解決しようとする課題】
【０００６】
バッテリパック収納室内に、サービスコネクタ用の蓋付きの小部屋を用意する従来例では、蓋を用意することによる追加的なコストが発生し、少なからず、美観を損ね、蓋を紛失する虞もある。更には、サービスコネクタが位置的に制約されることから、回路基板の設計上の制約となる。
【０００７】
内臓時計や本体の設定内容を保持するメモリに電力を供給するいわゆるバックアップ電池も、その交換の容易性を考慮しなければならない。ファインダ装置の内部に侵入したゴミを除去するための開口部も、好アクセス性が求められる。
【０００８】
このように、電子機器には、通常時には全く使用せず、ユーザによるアクセスをできれば防ぎつつ、必要時には、容易にアクセスできるサービスコネクタについて、コスト、アクセス性及び美観等を同時に考慮しなければならない。
【０００９】
本発明は、ビデオカメラのディスク駆動装置のピックアップのように、一定範囲で移動可能な部材を有する電子機器であって、コスト、アクセス性及び美観等の観点で好ましい位置に設置した、サービスコネクタのような接続手段を具備する電子機器を提示することを目的とする。
【課題を解決するための手段】
【００１０】
上記の課題を解決するために、本発明に係る電子機器の一実施例は、初期位置を含む所定範囲を移動可能な可動部材と、当該初期位置にある当該可動部材により隠蔽される位置に配置される外部接続手段とを具備することを特徴とする。当該可動部材は、例えば、ディスク駆動装置のピックアップである。
【発明の効果】
【００１１】
本発明によれば、通常時にはアクセスができない場所に外部接続手段を配置するので、外部接続手段を隠蔽する蓋等を特別に用意しなくて済む。これにより、コストを低減でき、必要時のアクセスを容易にし、デザイン上の美観を損なうこともない。
【発明を実施するための最良の形態】
【００１２】
以下、図面を参照して、本発明の実施例を詳細に説明する。
【００１３】
図１は、本発明の一実施例であるビデオカメラの斜め正面から見た斜視図を示し、図２は、本実施例の斜め後方から見た斜視図を示す。図３は、ディスクカバーを開けた状態の斜視図を示し、図４は、ディスク媒体を装填した状態の斜視図を示す。
【００１４】
ビデオカメラ１０の正面には、図１に示すように、カメラユニットの撮像レンズ１２、被写体照明用の投光装置１４、赤外線を利用するリモコン受光装置１６、及び音声を収録するマイク１８が配置されている。撮像レンズ１２の横には、ストロボ発光装置２０が配置されている。
【００１５】
ビデオカメラ１０の、ＬＣＤモニタ２２がある側面には、図１に示すように、操作スイッチ２４が配置されている。操作スイッチ２４は、ディスク媒体４２に記録された映像の再生や、ビデオカメラ１０本体の各種機能を操作するのに用いられる。
【００１６】
ビデオカメラ１０の、ディスク駆動装置４０がある側面には、図２に示すように、ディスク媒体を覆うディスクカバー２６が外観のほとんどを占めている。ディスクカバー２６は、使用者が把持しやすいような緩やかな曲面で形成されている。ディスクカバー２６は、オープンスイッチ２８の操作により、図示しないロック機構が作動して係止が解かれ、図示しない付勢ばねの力で持ち上がって開く。
【００１７】
図３に示すように、ディスクカバー２６が開いた状態では、ディスク駆動装置４０の一部が露出する。この状態で、ディスク駆動装置４０に、図４に示すように、ディスク媒体４２をセット出来る。ディスクカバー２６を閉じると、前述のロック機構が作動し、ディスクカバー２６が閉じた状態で係止される。
【００１８】
図２に示すように、ビデオカメラ１０の上面には、ズーム操作を指示するズームレバー３０と、静止画撮影に使用するフォトスイッチ３２が配置されている。ビデオカメラの背面には、動画撮影に使用するトリガースイッチ３４が配置されている。
【００１９】
カメラユニットの後方に相当する位置にファインダ装置３６が配置され、その下部には、電源スイッチ３８が配置されている。
【００２０】
以上に述べた操作スイッチなどは、使用者の操作に応じて、主基板６０上に実装された制御装置７８（図１３）に信号を送り、それに応じて制御装置７８は本機各部、例えばカメラユニットの焦点距離やＬＣＤモニタ２２の表示などを制御する。
【００２１】
ディスク駆動装置４０の基本的な構成と動作を説明する。図５は、ディスク駆動装置４０の平面図を示し、図６は、その中央断面図を示す。ディスク駆動装置４０は、装填されたディスク媒体４２を回転するスピンドルモータ４４と、ディスク媒体４２に光学的に信号を書込み、且つ、ディスク媒体４２の記録信号を光学的に読み取る光ピックアップユニット（ＯＰＵ）４６と、ＯＰＵ４６をディスク媒体４２の半径方向に移動させるトラバース機構とからなる。ＯＰＵ４６は、レーザ発振器、ビームスプリッタ、対物レンズ及び受光器等の光学素子を有し、その構成は周知であるので、詳細は説明は省略する。
【００２２】
トラバース機構は、金属製シャーシ４８に渡された互いに平行なスクリューシャフト５０及びガイドバー５２と、スクリューシャフト５０を回転するトラバースモータ５４からなる。ＯＰＵ４６は、スクリューシャフト５０にラックで噛み合い、また、ガイドバー５２に対してその軸方向に移動自在である。トラバースモータ５４の回転により、ＯＰＵ４６が、スクリューシャフト５０及びガイドバー５２に沿って、ディスク媒体４２の半径方向に移動する。
【００２３】
シャーシ４８裏面側には、ディスク駆動装置４０の制御基板５６が取り付けられている。制御基板５６には、スピンドルモータ４４、トラバースモータ５４、及びＯＰＵ４６を制御するコントローラが配置されている。ＯＰＵ４６は、ディスク媒体４２の半径方向への移動を邪魔しないように、適度な長さを持つフレキシブルな配線材５８で制御基板５６に接続されている。
【００２４】
このように、ＯＰＵ４６は、ディスク媒体４２の半径方向に移動可能であり、その移動範囲内で、ディスク媒体４２に信号を記録でき、又はディスク媒体４２から信号を再生できる。図７は、ＯＰＵ４６が移動可能な範囲の最内周側に位置するときの配置を示し、図８は、最外周に位置するときの配置を示す。
【００２５】
一般に、ディスク媒体４２のリードイン（開始情報）領域が内周側にあるので、ＯＰＵ４６の待機位置は、図７に示すディスク媒体４２の内周側に定めるのが通常である。ＯＰＵ４６が内周側に待機することで、リードインの読取りを迅速に実行できる。ビデオカメラ１０の使用を終了したり、使用者がディスク媒体４２を交換したときには、ディスク駆動装置４０は、ＯＰＵ４６からのレーザ出射を止めて記録再生動作を終了し、ＯＰＵ４６を内周端まで移動させる。
【００２６】
図９は、ディスク駆動装置４０のＯＰＵ４６がその可動範囲の外周端に位置する状態の平面図を示し、図１０は、ディスク駆動装置４０のＯＰＵ４６がその可動範囲の内周端に位置する状態の平面図を示す。図９は、図７に対応し、図１０は図８に対応する。図９及び図１０から明らかなように、本実施例では、サービスコネクタ６２を、光ピックアップ４６が外周端に位置するときに、外部に露出し、光ピックアップ４６が内周端に位置するときに、光ピックアップ４６で隠蔽される位置に配置してある。サービスコネクタ６２は、主基板６０に直付けされている。
【００２７】
図１１は、ビデオカメラ１０の内部レイアウトを模式的に示す断面図である。カメラユニット６４は、撮像レンズ１２を含む撮影光学系と、撮像素子からなる。カメラユニット６４の下部には、ディスク駆動装置４０、ビデオカメラ１０の制御を司る主基板６０、充電式バッテリパック６６を取り付けるバッテリ装着室６８、及びＬＣＤモニタ２２が配置される。ＬＣＤモニタ２２は、開閉自在なヒンジ機構で本体に接続されている。主基板６０の、ディスク駆動装置４０側の面に、サービスコネクタ６２が固定されている。
【００２８】
本実施例のビデオカメラ１０では、図９及び図１０から分かるように、サービスコネクタ６２をＯＰＵ４６の直下、特にＯＰＵ４６の待機位置である内周端の直下に配置したことに特徴がある。ＯＰＵ４６が略外周端にあるとき、サービスコネクタ６２が外部に露出し、ディスク媒体４２を装填していない状態で、ユーザ又はサービスマンは、サービスコネクタ６２にアクセス可能になる。サービスコネクタ６２はいわゆるＢｏａｒｄ  ｔｏ  Ｂｏａｒｄコネクタであり、その鉛直方向から相手コネクタを接続することができる。ＯＰＵ４６が略内周端にあるときは、図９に示すようにＯＰＵ４６によりサービスコネクタ６２が隠された状態になり、このときサービスコネクタ６２は利用できない。
【００２９】
例えば、ＯＰＵ４６は初期状態では、図９に示す内周端に位置する。従って、サービスコネクタ６２を利用したいときには、手でＯＰＵ４６を外周側に移動させることになる。図１２は、ディスクカバー２６を開けた状態で、ＯＰＵ４６を外周側に移動したときの斜視図を示す。
【００３０】
このような手操作は、できれば避けるべきである。そのためには、例えば、操作手段２４，３０，３２に対する所定の操作で、ディスク駆動装置４０が、ＯＰＵ４６を外周端に移動するようにすればよい。例えば、図示しないリモコン送信器を使い、所定のコマンド信号をビデオカメラ１０に送ることで、制御装置７８が一時的にＯＰＵ４６を外周端に移動して待機させるようにする。何らかのスイッチを押したまま電源を投入した場合に、ＯＰＵ４６が外周端に移動して待機するようにする。
【００３１】
このような所定操作によりＯＰＵ４６を外周端に移動させた後に、ディスクカバー２６を開けると、サービスコネクタ６２が外部に露出する。ＯＰＵ４６を外周端で待機させる操作は、製造者によってのみ行えることが望ましい。そうすることで、一般の使用者がサービスコネクタ６２に触れてしまうことがなく、静電気で主基板６０に不具合を生じることもなく、サービスコネクタ６２を汚損したりする心配がない。サービスコネクタ６２を隠すためのフタが不要になる。
【００３２】
図１３は、ビデオカメラ１０の機能ブロック図を示す。カメラユニット６４は、撮影視野内の光学像を電気信号に変換する。カメラユニット６４から出力される画像信号は、信号処理回路７０により所定形式の画像信号に変換される。記録処理回路７２は、信号処理回路７０からの画像信号を記録用に処理（例えば、圧縮符号化）し、記録再生回路７４が、記録処理回路７２からの信号をディスク駆動装置４０のＯＰＵ４６に印加する。これにより、撮影画像がディスク駆動装置４０に装填されるディスク媒体に記録される。
【００３３】
信号処理回路７０から出力される画像信号は、必要によりキャラクタジェネレータ７６からの文字信号を重畳されて、ＬＣＤモニタ２２及び／又はファインダ装置３６に印加される。これにより、ユーザは、撮影しようとする被写体及び撮影中の被写体の構図等を視覚的に確認できる。
【００３４】
制御装置７８は、上述の各種スイッチからの指示に従って、機器全体の動作を制御する。制御装置７８はまた、サービスコネクタ６２を介して所定のコマンド又はデータを受信可能である。制御装置７８及び各処理回路７０，７２，７４等は主基板６０上に実装されている。
【００３５】
上記実施例では、サービスコネクタ６２を例に説明したが、バックアップ電池に対しても、同様の構成を採ることが可能である。主基板６０上の該当する場所に、サービスコネクタ６２の代わりにバックアップ電池を保持し電気的に接続する電池保持具を設置すれば良い。他にも、内臓ストロボのコンデンサを放電する端子を配置しても良い。機体識別ＩＤカードなどの装着部を配置しても良い。
【００３６】
また、主基板６０の代わりに、カメラユニット６４やファインダ装置３６の鏡筒部をＯＰＵ４６の側部に配置し、鏡筒内部を掃除する開口部を、内終端に位置するＯＰＵ４６で遮蔽してもよい。
【００３７】
可動部材としてディスク駆動装置の光ピックアップを例示したが、その他の可動部材を利用して、同様の作用効果を得ることができる。即ち、そのような可動部材が初期位置にあるときにユーザから隠れる位置に、サービスコネクタ６２などの接続端子を配置する。
【図面の簡単な説明】
【００３８】
【図１】本発明の一実施例であるビデオカメラの斜め正面から見た斜視図を示す。
【図２】本実施例の斜め後方から見た斜視図を示す。
【図３】ディスクカバーを開けた状態の斜視図を示す。
【図４】ディスク媒体を装填した状態の斜視図を示す。
【図５】ディスク駆動装置４０の平面図を示す。
【図６】ディスク駆動装置４０の中央断面図を示す。
【図７】ＯＰＵ４６が移動可能な範囲の最内周側に位置するときの配置を示す。
【図８】ＯＰＵ４６が移動可能な範囲の最外周側に位置するときの配置を示す。
【図９】ディスク駆動装置４０のＯＰＵ４６がその可動範囲の外周端に位置する状態の平面図を示す。
【図１０】ディスク駆動装置４０のＯＰＵ４６がその可動範囲の内周端に位置する状態の平面図を示す。
【図１１】ビデオカメラ１０の内部レイアウトを模式的に示す断面図である。
【図１２】ディスクカバー２６を開けた状態で、ＯＰＵ４６を外周側に移動したときの斜視図を示す。
【図１３】ビデオカメラ１０の機能ブロック図を示す。
【符号の説明】
【００３９】
１０  ビデオカメラ
１２  撮像レンズ
１４  投光装置
１６  リモコン受光装置
１８  マイク
２０  ストロボ発光装置
２２  ＬＣＤモニタ
２４  操作スイッチ
２６  ディスクカバー
２８  オープンスイッチ
３０  ズームレバー
３２  フォトスイッチ
３４  トリガースイッチ
３６  ファインダ装置
３８  電源スイッチ
４０  ディスク駆動装置
４２  ディスク媒体
４４  スピンドルモータ
４６  光ピックアップユニット（ＯＰＵ）
４８  金属製シャーシ
５０  スクリューシャフト
５２  ガイドバー
５４  トラバースモータ
５６  制御基板
５８  配線材
６０  主基板
６２  サービスコネクタ
６４  カメラユニット
６６  充電式バッテリパック
６８  バッテリ装着室
７０  信号処理回路
７２  記録処理回路
７４  記録再生回路
７６  キャラクタジェネレータ
７８  制御装置
【図１】
2008047261.tif 000003
【図２】
2008047261.tif 000004
【図３】
2008047261.tif 000005
【図４】
2008047261.tif 000006
【図５】
2008047261.tif 000007
【図６】
2008047261.tif 000008
【図７】
2008047261.tif 000009
【図８】
2008047261.tif 000010
【図９】
2008047261.tif 000011
【図１０】
2008047261.tif 000012
【図１１】
2008047261.tif 000013
【図１２】
2008047261.tif 000014
【図１３】
2008047261.tif 000015